(57)【要約】【課題】検索に使用されるキーワードについて、少数の者による特異な使用実態を集計結果に反映させない検索スコア算出装置及び方法を提供すること。【解決手段】検索スコア算出装置（１０）は、検索サーバ（２０）が、端末（３０）から受信した検索クエリ、検索クエリを受信された時刻及び検索クエリを送信した端末を特定する端末情報を関連付けて検索ログとして記憶する検索ログＤＢ（１１１）を備える。そして、第１集計部（１４２）は、第１の期間内に検索サーバ２０が受信した所定の検索クエリについて、所定の検索クエリを送信した端末の端末情報の数を第１の値として計数し、第２集計部（１４３）は、第１の期間とは異なる第２の期間内に検索サーバ２０が受信した所定の検索クエリについても同様にして第２の値を求める。そして、検索スコア算出部（１４４）は、第１の値の第２の値に対する割合を検索スコアとして算出し、出力部（１４５）が出力する。【選択図】図１
2011227689.tif 000002
【特許請求の範囲】
【請求項１】
検索サーバが端末から受信した所定の検索クエリの検索スコアを算出する検索スコア算出装置であって、
前記検索サーバが、前記端末から受信した検索クエリ、前記検索クエリを受信した時刻及び前記検索クエリを送信した端末を特定する端末情報を関連付けて記憶する検索ログ記憶手段と、
第１の期間内に前記検索サーバが受信した前記所定の検索クエリについて、前記所定の検索クエリを送信した端末の前記端末情報の数を第１の値として計数する第１集計手段と、
前記第１の期間とは異なる第２の期間内に前記検索サーバが受信した前記所定の検索クエリについて、前記所定の検索クエリを送信した端末の前記端末情報の数を第２の値として計数する第２集計手段と、
前記第１の値の前記第２の値に対する割合を検索スコアとして算出する検索スコア算出手段と、
前記検索スコアを出力する出力手段と、を備える検索スコア算出装置。
【請求項２】
前記検索スコア算出手段は、前記第１の値及び前記第２の値それぞれの対数を用いて前記検索スコアを算出する
請求項１に記載の検索スコア算出装置。
【請求項３】
前記第２の期間は、前記第１の期間より過去の期間である
請求項１又は２に記載の検索スコア算出装置。
【請求項４】
前記第２の期間の一部は、前記第１の期間の一部と重複する
請求項１又は２に記載の検索スコア算出装置。
【請求項５】
前記所定の検索クエリと前記第１の期間とについての入力を受け付ける入力手段を備える
請求項１から４のいずれかに記載の検索スコア算出装置。
【請求項６】
検索サーバが端末から受信した所定の検索クエリの検索スコアを算出する検索スコア算出方法であって、
コンピュータは、前記検索サーバが、前記端末から受信した検索クエリ、前記検索クエリを受信した時刻及び前記検索クエリを送信した端末を特定する端末情報を関連付けて記憶する検索ログ記憶手段を備え、
前記コンピュータに、
第１の期間内に前記検索サーバが受信した前記所定の検索クエリについて、前記所定の検索クエリを送信した端末の前記端末情報の数を第１の値として計数するステップと、
前記第１の期間とは異なる第２の期間内に前記検索サーバが受信した前記所定の検索クエリについて、前記所定の検索クエリを送信した端末の前記端末情報の数を第２の値として計数するステップと、
前記第１の値の前記第２の値に対する割合を検索スコアとして算出するステップと、
前記検索スコアを出力するステップと、を実行させる検索スコア算出方法。
【発明の詳細な説明】
【技術分野】
【０００１】
本発明は、検索スコア算出装置及び方法に関する。特に、所定期間内に使用頻度が上がった検索クエリのスコアを算出する検索スコア算出装置及び方法に関する。
【背景技術】
【０００２】
ユーザが注目されている話題について調べようとするときは、検索サービスを提供する検索サイトでその話題に係るキーワードを使用して検索を行い、情報を得ている。このキーワードは、検索サイトにおいて集計されて、注目度の高いキーワードとしてランキング表示されていることが多い。ユーザは、これらのランキング表示を見ることで、注目されている話題についての情報を他のユーザと共有することができる。
【０００３】
キーワードの使用状況は、時期や単語によって変化する。例えば、郵便番号や有名Ｗｅｂサイトの名称等のように、長期間に亘って使用頻度が一定して高いキーワードもあるが、テレビ等で紹介されたり、大きなイベントが開催されたりしたことがきっかけで、一時的に急激に使用頻度が上がるキーワードもある。
【０００４】
そこで、これらのキーワードの使用頻度の推移について、急に使用頻度が高くなったキーワードを調べることができる装置が開示されている（例えば、特許文献１及び特許文献２）。特許文献１及び特許文献２に開示された装置は、いずれも、あるキーワードが、ある特定の期間において検索に使用された回数を基に集計して、使用頻度のランキングを決定している。
【先行技術文献】
【特許文献】
【０００５】
【特許文献１】特開２００４−０１３４１７号公報
【特許文献２】特開２００４−２０６５１７号公報
【発明の概要】
【発明が解決しようとする課題】
【０００６】
しかし、集計に使用する値をキーワードが検索に使用された回数とすると、ある特定の少数ユーザが集中的にあるキーワードを使用した場合でも、そのキーワードがランキングの上位となる可能性がある。この場合、そのキーワードは、少数ユーザ以外の大多数のユーザにとって関心のあるキーワードであるということはできない。このように、特許文献１及び特許文献２に開示された装置では、キーワードが使用された実態とランキングの結果が乖離している場合も生じ得る。
【０００７】
そこで、本発明は、検索に使用されるキーワードについて、少数の者による特異な使用実態を集計結果に反映させない検索スコア算出装置及び方法を提供することを目的とする。
【課題を解決するための手段】
【０００８】
（１）検索サーバが端末から受信した所定の検索クエリの検索スコアを算出する検索スコア算出装置であって、前記検索サーバが、前記端末から受信した検索クエリ、前記検索クエリを受信した時刻及び前記検索クエリを送信した端末を特定する端末情報を関連付けて記憶する検索ログ記憶手段と、第１の期間内に前記検索サーバが受信した前記所定の検索クエリについて、前記所定の検索クエリを送信した端末の前記端末情報の数を第１の値として計数する第１集計手段と、前記第１の期間とは異なる第２の期間内に前記検索サーバが受信した前記所定の検索クエリについて、前記所定の検索クエリを送信した端末の前記端末情報の数を第２の値として計数する第２集計手段と、前記第１の値の前記第２の値に対する割合を検索スコアとして算出する検索スコア算出手段と、前記検索スコアを出力する出力手段と、を備える検索スコア算出装置。
【０００９】
（１）に記載の検索スコア算出装置は、検索サーバが、前記端末から受信した検索クエリ、検索クエリを受信した時刻及び検索クエリを送信した端末を特定する端末情報を関連付けて検索ログとして記憶する。そして、検索スコア算出装置は、第１の期間に対する第２の期間の所定の検索クエリについて、所定の検索クエリを送信した端末の端末情報の数を計数して第１の値を求め、第１の期間とは異なる第２の期間内に前記検索サーバが受信した所定の検索クエリについても同様にして第２の値を求める。そして、検索スコア算出装置は、第１の値の第２の値に対する割合を検索スコアとして算出し、出力する。
【００１０】
これにより、検索スコア算出装置は、第１の期間における所定の検索クエリの使用頻度を示す検索スコアを得ることができる。例えば、検索スコア算出装置は、所定の検索クエリ毎に検索スコアを比較することにより、第１の期間において使用頻度の高い検索クエリのランキングを作成することができる。また、検索スコア算出装置は、第１の期間に対する第２の期間において、所定の検索クエリを送信した端末の端末情報の数の割合に基づいて検索スコアを求めるので、所定の端末が所定の検索クエリを大量に送信した場合のような、特異な使用実態に起因する影響を受けずに検索スコアを求めることができる。
【００１１】
（２）前記検索スコア算出手段は、前記第１の値及び前記第２の値それぞれの対数を用いて前記検索スコアを算出する（１）に記載の検索スコア算出装置。
【００１２】
（２）に記載の検索スコア算出装置は、（１）に記載の検索スコア算出装置に加えて、第１の値及び第２の値のそれぞれの対数を用いて検索スコアを算出する。
これにより、第１の値及び第２の値が非常に大きな値であっても、取り得る値の範囲を小さくして検索スコアを算出することができる。
【００１３】
（３）前記第２の期間は、前記第１の期間より過去の期間である（１）又は（２）に記載の検索スコア算出装置。
【００１４】
（３）に記載の検索スコア算出装置は、（１）又は（２）に記載の検索スコア算出装置に加えて、第２の期間は、第１の期間よりも過去の期間であるとして、検索スコアを算出する。これにより、過去の検索スコアとの上昇度を検索スコアとして算出することができる。
【００１５】
（４）前記第２の期間の一部は、前記第１の期間の一部と重複する（１）又は（２）に記載の検索スコア算出装置。
【００１６】
（４）に記載の検索スコア算出装置は、（１）又は（２）に記載の検索スコア算出装置に加えて、第２の期間の一部を、第１の期間の一部と重複させて、検索スコアを算出する。これにより、第２の期間と第１の期間とで重複する期間について、重複しない場合と比較して、当該重複する期間の端末情報の数の変化を検索スコアに反映しつつ、当該重複する期間における端末情報の数の変化による検索スコアへの影響度を軽減させることができる。
【００１７】
（５）前記所定の検索クエリと前記第１の期間とについての入力を受け付ける入力手段を備える（１）から（４）のいずれかに記載の検索スコア算出装置。
【００１８】
（５）に記載の検索スコア算出装置は、（１）から（４）のいずれかに記載の検索スコア算出装置に加えて、所定の検索クエリと第１の期間についての入力を受け付ける入力手段を備える。これにより、検索スコア検出装置は、所定の検索クエリと第１の期間について入力を受け付けることができるため、入力手段が受け付けた任意の検索クエリについて検索スコアを求めることができる。また、検索スコア算出装置は、入力手段が受け付けた第１の期間の長さで検索スコアを求めることができる。例えば、検索スコア算出装置は、入力手段が受け付けた検索クエリについて、異なる長さの期間（第１の期間）についての検索スコアを求めることができる。
【００１９】
（６）検索サーバが端末から受信した所定の検索クエリの検索スコアを算出する検索スコア算出方法であって、コンピュータは、前記検索サーバが、前記端末から受信した検索クエリ、前記検索クエリを受信した時刻及び前記検索クエリを送信した端末を特定する端末情報を関連付けて記憶する検索ログ記憶手段を備え、前記コンピュータに、第１の期間内に前記検索サーバが受信した前記所定の検索クエリについて、前記所定の検索クエリを送信した端末の前記端末情報の数を第１の値として計数するステップと、前記第１の期間とは異なる第２の期間内に前記検索サーバが受信した前記所定の検索クエリについて、前記所定の検索クエリを送信した端末の前記端末情報の数を第２の値として計数するステップと、前記第１の値の前記第２の値に対する割合を検索スコアとして算出するステップと、前記検索スコアを出力するステップと、を実行させる検索スコア算出方法。
【００２０】
（６）に記載の検索スコア算出方法は、（１）に記載の検索スコア算出装置と同様の効果を奏することができる。
【発明の効果】
【００２１】
本発明によれば、検索に使用されるキーワードについて、少数の者による特異な使用実態を集計結果に反映させない検索スコア算出装置及び方法を提供することができる。
【図面の簡単な説明】
【００２２】
【図１】本発明の実施形態に係るＷｅｂ検索システムの全体構成及び検索スコア算出装置の機能ブロックを示す図である。
【図２】本発明の実施形態に係る検索ログテーブルを示す図である。
【図３】本発明の実施形態に係る検索スコアを算出する処理の流れを示すフローチャートである。
【発明を実施するための形態】
【００２３】
以下、本発明の実施形態について図面を参照して説明する。なお、以下に説明する実施形態は、あくまでも一例であって、本発明の技術的範囲はこれに限られるものではない。
【００２４】
図１を参照して、本発明の一実施形態に係る検索スコア算出装置１０について説明する。図１は、Ｗｅｂ検索システム１の全体構成及び検索スコア算出装置１０の機能ブロックを示す図である。
【００２５】
検索スコア算出装置１０は、通信ネットワークＮに接続され、検索サーバ２０から、検索サーバ２０で受け付けられた検索クエリを受信して記憶する。そして、検索スコア算出装置１０は、記憶した検索クエリについて、検索サーバ２０における使用頻度を示す検索スコアを算出する。
【００２６】
通信ネットワークＮは、光回線やＡＤＳＬ（Ａｓｙｍｍｅｔｒｉｃ  Ｄｉｇｉｔａｌ  Ｓｕｂｓｃｒｉｂｅｒ  Ｌｉｎｅ）等の有線通信網（公衆回線網）や、携帯電話あるいはＰＨＳ等を端末とした移動体通信網により形成される。通信ネットワークＮは、具体的には、ＬＡＮ（Ｌｏｃａｌ  Ａｒｅａ  Ｎｅｔｗｏｒｋ）やインターネット等のコンピュータネットワークにより構成される。
【００２７】
検索サーバ２０は、検索エンジン２１を有し、検索サービスを提供する。
【００２８】
端末３０は、ユーザが使用する端末である。また、端末３０は、いわゆるパーソナルコンピュータであり、端末３０の動作を制御するＣＰＵ（Ｃｅｎｔｒａｌ  Ｐｒｏｃｅｓｓｉｎｇ  Ｕｎｉｔ、中央処理装置）、キーボード及びマウス等の入力手段、ディスプレイ等の表示手段を少なくとも備える。なお、図１に示す端末３０は、２台であるがこれよりも多い台数でもよい。
【００２９】
検索スコア算出装置１０は、検索サーバ２０から受信した検索クエリについてのログ情報（以下、検索ログとする）を主として記憶する記憶部１１と、検索スコア算出装置１０への入力操作等を受け付ける操作部１２と、検索スコア算出装置１０における各種処理の処理結果を表示する表示部１３と、検索スコア算出装置１０における各種処理を実行する制御部１４と、を備える。
【００３０】
記憶部１１は、ハードディスク装置や光磁気ディスク装置、ＲＯＭ（Ｒｅａｄ  Ｏｎｌｙ  Ｍｅｍｏｒｙ）等の不揮発性のメモリ、ＲＡＭ（Ｒａｎｄｏｍ  Ａｃｃｅｓｓ  Ｍｅｍｏｒｙ）等の揮発性のメモリ、あるいはこれらの組み合わせによるコンピュータ読み取り可能及び書き込み可能な記憶媒体により構成される。
【００３１】
記憶部１１は、検索ログ記憶手段として、検索スコア算出装置１０が検索サーバ２０から受信した検索ログを記憶する検索ログＤＢ（Ｄａｔａｂａｓｅ；データベース）１１１を備える。検索ログＤＢ１１１は、検索ログテーブル５０を記憶する。
【００３２】
ここで、図２を参照して検索ログテーブル５０について説明する。図２は、検索ログテーブル５０を示す図である。
【００３３】
検索ログテーブル５０は、「検索クエリ」欄、「受信時刻」欄及び「端末ＩＰ」欄を有し、それぞれ関連付けられている。「検索クエリ」欄には、検索サーバ２０が端末３０から受け付けた検索クエリが格納される。また、「受信時刻」欄には、検索サーバ２０が当該検索クエリを端末３０から受信して受け付けた時刻が格納される。また、「端末ＩＰ」欄には、当該検索クエリを検索サーバ２０に送信した端末のＩＰ（Ｉｎｔｅｒｎｅｔ  Ｐｒｏｔｏｃｏｌ）アドレスが格納される。端末ＩＰは、所定の検索クエリを検索サーバ２０に送信した端末３０を特定するための端末情報として用いられる情報である。
【００３４】
図１に戻って、操作部１２は、検索スコア算出装置１０に対する入力の受付を行うものであり、キーボード、マウス、タッチペン、タッチパネル等により構成されるものとする。本実施形態では、操作部１２は、検索スコアを算出させるための情報となる第１の期間、所定の検索クエリ及び第２の期間についての入力を受け付ける。
【００３５】
表示部１３は、データの入力を受け付ける画面を表示したり、検索スコア算出装置１０による検索スコアの算出結果の画面を表示したりするものであり、ブラウン管表示装置（ＣＲＴ）、液晶表示装置（ＬＣＤ）等のディスプレイ装置を含む。
【００３６】
制御部１４は、ＣＰＵ等により構成されており、検索スコア算出装置１０の各処理の実行を制御する。制御部１４は、下記の各部の機能を実現するためのプログラムを記憶部１１から読み込んで実行することによりその機能を実現させるものであってもよいし、また、専用のハードウェアにより実現されるものであってもよい。
【００３７】
制御部１４は、検索サーバ２０から検索ログを受信し、受信した検索ログを検索ログＤＢ１１１に記憶させる検索ログ取得部１４０と、第１の期間、第２の期間及び所定の検索クエリについて、操作部１２から入力を受け付ける入力手段としての入力受付部１４１と、所定の検索クエリについて第１の期間における第１の値を求める第１集計手段としての第１集計部１４２と、所定の検索クエリについて、第２の期間における第２の値を求める第２集計手段としての第２集計部１４３と、第１の値及び第２の値から検索スコアを算出する検索スコア算出手段としての検索スコア算出部１４４と、検索スコアを出力する出力手段としての出力部１４５と、を備える。
【００３８】
検索ログ取得部１４０は、検索サーバ２０が端末３０から受信した検索クエリについてのログ情報を検索サーバ２０から受信する。そして、検索ログ取得部１４０は、受信した検索ログを検索ログＤＢ１１１に記憶させる。検索ログ取得部１４０は、所定期間毎に検索サーバ２０に検索ログを送信する要求を送信し、検索サーバ２０から検索ログを受信してもよく、また、検索ログを記憶する所定のデータベースから検索ログを受信してもよい。
【００３９】
入力受付部１４１は、第１の期間、第２の期間及び所定の検索クエリについての入力を操作部１２を介して受け付ける。ここで、第１の期間は、入力受付部１４１が受け付けた所定の長さを有する期間をいう。例えば、入力受付部１４１は、第１の期間、第２の期間及び所定の検索クエリそれぞれについての入力欄を表示部１３に表示させ、操作部１２による入力を受け付ける。なお、入力受付部１４１は、通信ネットワークＮを介して、端末３０から入力を受け付けてもよい。
【００４０】
第１集計部１４２は、所定の検索クエリについて第１の期間における第１の値を求める。詳細には、第１集計部１４２は、検索ログテーブル５０を参照して、第１の期間において所定の検索クエリを検索サーバ２０に送信した端末ＩＰの数を第１の値として計数する。このとき、第１集計部１４２は、重複する端末ＩＰを１つの端末ＩＰにまとめて、所定の検索クエリを受信した回数を計数する。すなわち、第１集計部１４２は、第１の期間における所定の検索クエリを検索サーバ２０に送信した端末３０の数に基づいて第１の値を求める。
【００４１】
第２集計部１４３は、所定の検索クエリについて、第２の期間における第２の値を求める。第２の期間は、第１の期間と重複せず、かつ第１の期間よりも過去の期間であることが好ましく、例えば、第１の期間の長さよりも長い期間である。第２集計部１４３は、検索ログテーブル５０を参照して、第２の期間内において所定の検索クエリを検索サーバ２０に送信した端末ＩＰの数を第２の値として計数する。このとき、第２集計部１４３は、第１集計部１４２と同様に、重複する端末ＩＰを１つの端末ＩＰにまとめて、所定の検索クエリを受信した回数を計数する。すなわち、第２集計部１４３は、第２の期間における所定の検索クエリを検索サーバ２０に送信した端末３０の数に基づいて第２の値を求める。
【００４２】
なお、第２の期間は、第１の期間と重複しないこととしたが、これに限らない。例えば、第２の期間の一部を、第１の期間の一部と重複させてもよい。このようにすることで、第２の期間と第１の期間とで重複する期間について、後述の検索スコア算出部１４４により算出される検索スコアへの影響度を軽減させることができる。すなわち、第１の期間の一部と第２の期間の一部とが重複した場合、その重複した期間における第１の値及び第２の値には、重複する期間における変化量が反映されることになる。ただし、検索スコアとしては、当該重複した期間における変化量が互いに相殺されて、重複しない場合と比較して、当該変化量による検索スコアに対する影響を軽減させることができる。
【００４３】
検索スコア算出部１４４は、第１の値及び第２の値を用いて検索スコアを算出する。検索スコア算出部１４４は、以下の計算式により検索スコアを算出する。
【数１】
2011227689.tif 000003
【００４４】
この検索スコアの値は、第１の値と第２の値の積が大きい場合に、高くなる。例えば、第１の期間を所定の日とし、第２の期間を、所定の日の前日から前２週間として、複数の検索クエリの検索スコアを算出したとする。この場合、複数の検索クエリにおいて、相対的に検索スコアが高い検索クエリは、他の検索クエリに比べて、相対的に第１の値と第２の値の積が大きいものとなる。つまり、この検索クエリは、第１の値が相対的に大きく、第２の値が相対的に小さい可能性が高いものとなる。このように、検索スコアが高い検索クエリは、他の検索クエリに比べて所定の日において他の検索クエリに比べて急上昇した検索クエリである、と考えることができる。
【００４５】
ここで、正規化係数とは、第２の期間において検索サーバ２０が受信した全検索クエリの検索数をいう。これにより、全検索クエリの検索数の変動に応じた検索スコアを求めることができる。
【００４６】
また、検索スコア算出部１４４は、検索スコアを算出する際に、上記式（１）を汎化させて、以下の計算式により検索スコアを算出してもよい。
【数２】
2011227689.tif 000004
式（２）における第１の値及び第２の値は以下の式により算出してもよい。すなわち、検索スコア算出部１４４は、検索スコアを算出する際に、以下（３）、（４）、（６）及び（７）の式に示されるように、第１の値及び第２の値それぞれの対数を使用して検索スコアを算出してもよい。検索スコア算出部１４４は、第１の値及び第２の値それぞれの対数を上記式（１）に当てはめて検索スコアを算出する。これにより、それぞれの値が取り得る範囲を小さくすることができる。
【数３】
2011227689.tif 000005
【数４】
2011227689.tif 000006
【００４７】
ここで、検索スコア算出部１４４は、第１の値について、式（１）における第１の値、すなわち、第１の期間において所定の検索クエリを検索サーバ２０に送信した端末ＩＰの数を使用してもよい。また、検索スコア算出部１４４は、第１の値について、第１の期間において最も多く検索サーバ２０が受信した検索クエリを、当該検索クエリを送信した端末ＩＰの数で正規化した値を使用してもよい。すなわち、下記の式（５）で求めた値を使用してもよい。
【数５】
2011227689.tif 000007
【００４８】
また、検索スコア算出部１４４は、第２の値について、以下の式を使用して算出した値を使用してもよい。例えば、第２の期間において、第２の期間における端末ＩＰの総数の半数以上の端末ＩＰの端末３０が送信した検索クエリに対して負の値を与えてもよい。すなわち、以下の式（６）を使用してもよい。
【数６】
2011227689.tif 000008
【００４９】
また、第２の値は、第２の期間における、最も使用回数の多い検索クエリの値と所定の検索クエリの使用回数との比率を使用してもよい。すなわち、以下の式（７）を使用してもよい。
【数７】
2011227689.tif 000009
【００５０】
また、正規化係数については、集計データの全クエリに対するスコアの二乗和を１にしてもよい。すなわち、以下の式（８）を使用して、第１の期間及び第２の期間を固定とした場合に、検索クエリ間で比較したいときにコサイン正規化を行うことができる。
【数８】
2011227689.tif 000010
【００５１】
出力部１４５は、検索スコア算出部１４４が算出した検索スコアを出力する。本実施形態では、出力部１４５は、検索スコアを表示部１３に表示させる。また、出力部１４５は、通信ネットワークＮを介して端末３０に検索スコアを送信してもよい。
【００５２】
図３を参照して、検索スコア算出装置１０が検索スコアを算出する処理について説明する。図３は、検索スコア算出装置１０が検索スコアを算出する処理の流れを示すフローチャートである。
【００５３】
ステップＳ１１では、制御部１４の入力受付部１４１は、第１の期間、第２の期間、所定の検索クエリについての入力を受け付ける。
【００５４】
ステップＳ１２では、制御部１４の第１集計部１４２は、第１の値を集計する。第１集計部１４２は、検索ログＤＢ１１１を参照して、第１の期間における所定の検索クエリを検索サーバ２０に送信した端末３０の数（端末ＩＰの数）を第１の値として計数する。
【００５５】
ステップＳ１３では、制御部１４の第２集計部１４３は、第２の値を集計する。第２集計部１４３は、検索ログＤＢ１１１を参照して、第２の期間における所定の検索クエリを検索サーバ２０に送信した端末３０の数（端末ＩＰの数）を第２の値として計数する。
【００５６】
ステップＳ１４では、制御部１４の検索スコア算出部１４４は、検索スコアを算出する。検索スコア算出部１４４は、第１集計部１４２が求めた第１の値及び第２集計部１４３が求めた第２の値から、検索スコアを算出する。
【００５７】
ステップＳ１５では、制御部１４の出力部１４５は、検索スコア算出部１４４が算出した検索スコアを表示部１３に出力し、本フローチャートの処理を終了する。
【００５８】
上述の実施形態によれば、検索スコア算出装置１０は、検索クエリを検索サーバ２０に送信した端末３０を特定する端末情報と共に検索ログを記憶する検索ログＤＢ１１１を備える。また、検索スコア算出装置１０は、検索ログＤＢ１１１に記憶された端末情報に基づいて、所定の検索クエリを検索サーバ２０に送信した端末数を計数して第１の値を求める第１集計部１４２及び第２集計部１４３を備える。このため、例えばごく少数の端末から大量に同じ検索クエリを検索サーバ２０が受信した場合に、検索スコア算出装置１０は、同じ端末３０から同じ検索クエリを受信した回数が検索スコアに反映するのを防止することができる。このような場合は、多くのユーザが着目している検索クエリとはいえないためである。本実施形態によれば、検索スコア算出装置１０は、多数のユーザが使用した検索クエリについて正確に検索スコアを求めることができる。
【００５９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６０】
１  検索システム
１０  検索スコア算出装置
１１  記憶部
１２  操作部
１３  表示部
１４  制御部
２０  検索サーバ
２１  検索エンジン
３０  端末
１１１  検索ログＤＢ
１４０  検索ログ取得部
１４１  入力受付部
１４２  第１集計部
１４３  第２集計部
１４４  検索スコア算出部
１４５  出力部
Ｎ  通信ネットワーク
【図１】
2011227689.tif 000011
【図２】
2011227689.tif 000012
【図３】
2011227689.tif 000013